(57)【要約】      （修正有）【課題】裾幅の広いパンツを着用した時のトイレ使用時などに裾が床に落ちたり、雨や雪道で裾が濡れて汚れたり、自転車の運転時にパンツの裾が車輪に巻き込まれたりすることを防ぎ、外出時に携帯して、簡単に装着できるカバーを提供する。【解決手段】装着したパンツの裾が下に落ちないように、伸縮性を有する装着部材を設けて形成されるカバーであって、伸縮性を有する略円筒形のカバー１と、カバーの上部開口部２Ａと下部開口部２Ｂとの間に略円筒形の装着部材３と、を設けて１層または２層から成ることを特徴とする。上肢または下肢のいずれかの適当な位置を覆うようにして簡単に装着でき、外出時のパンツ着用前に両脚に着用しておくだけで、持ち忘れも防止できる。【選択図】図３
0003227812.tif 000002
【実用新案登録請求の範囲】
【請求項１】
伸縮性を有する略円筒形のカバーと、前記カバーの上部開口部と下部開口部との間に装着部材と、を設けたことを特徴とする裾落ち防止カバー。
【請求項２】
伸縮性を有する略円筒形の外層カバーと、前記外層カバーの内側に設けた伸縮性を有する略円筒形の内層カバーと、を接合し一体化したカバーの上部開口部と下部開口部との間に略円筒形の装着部材を設けたことを特徴とする裾落ち防止カバー。
【請求項３】
前記装着部材として弾性部材を用いたことを特徴とする請求項１または請求項２に記載の裾落ち防止カバー。
【請求項４】
前記カバーの最内面側または最外面側のどちらか一方、または両側にポケットを設けたことを特徴とする請求項１〜３のいずれか１項に記載の裾落ち防止カバー。
【請求項５】
前記ポケットは、円周方向に沿って幾つかのポケット部を構成するように、ポケット上辺を、前記弾性部材の下辺近傍に設け、前記ポケット下辺は前記カバーの下辺近傍に縫合し、前記ポケット上辺と前記ポケット下辺を長手方向に結ぶ幾つかの線上で、前記カバーと縫合して前記ポケット部を形成することを特徴とする請求項４に記載の裾落ち防止カバー。
【考案の詳細な説明】
【技術分野】
【０００１】本考案は装着したパンツの裾が下に落ちないように、長手方向に伸縮性を有し、装着部を設けて上肢または下肢のいずれかの適当な位置を覆うように形成される、裾落ち防止カバーである。
【背景技術】
【０００２】最近の女性ファッションの傾向として、裾幅の広いパンツが流行しており、トイレ時に裾が床に着いたり、雪や雨で裾が濡れて汚れたり、自転車、バイクの運転時には、車輪への裾の巻き込みなどが生じる懸念があり、市販されている裾上げバンドも幾つかはあるが、ズボンの上から使用するものが主流で、長さ調節可能なアジャスター付で伸縮性のあるゴムまたは紐を使用したもの（例えば特許文献１参照）や、伸縮性のバンドを収納可能な化粧品のポーチとしても利用でき、携帯し忘れないように考慮されたもの（例えば特許文献３参照）などがあった。
【先行技術文献】
【特許文献】
【０００３】
【特許文献１】実用新案登録第３２０５９５３号公報
【特許文献２】実用新案登録第３２１４４５４号公報
【考案の概要】
【考案が解決しようとする課題】
【０００４】上記のパンツの裾を上げるように考えられた考案に関しては、裾をバンドなどで固定してアジャスターで長さ調節可能にしたもの（特許文献１）でも、携帯して持ち運びしなければならず、また、携帯し忘れないように化粧ポーチとして利用するものなどは、忘れにくくなっても、いざ、使用する時には、中に入れた化粧品などを出してからでないと使用できないという難点がある。そのほか、市販されている裾アップバンドでは、面ファスナーで固定するものや、リボンのモチーフにゴムバンドを引っ掛けて使用するものなどはあるが、いずれも、携帯し忘れると用をなさないリスクが生じる。また、事前にパンツ下の脚に装着することはできても、連結部にプラスチック製や金具のアジャスターや面ファスナーなどを使用しているため（特許文献２）、脚への違和感や不快感を生じることが懸念される。そこで本考案は上記の課題を解決することを目的とするものである。
【課題を解決するための手段】
【０００５】そして、本考案は上記目的を達成するために、第１の課題解決の手段は、伸縮性を有する略円筒形のカバーと、前記カバーの上部開口部と下部開口部との間に装着部材と、を設けたことである。【０００６】第２の課題解決の手段は、伸縮性を有する略円筒形の外層カバーと、前記外層カバーの内側に設けた伸縮性を有する略円筒形の内層カバーと、を接合し一体化したカバーの上部開口部と下部開口部との間に略円筒形の装着部材を設けたことである。【０００７】第３の課題解決の手段は、前記装着部材として弾性部材を用いたことである。【０００８】第４の課題解決の手段は、前記カバーの最内面側または最外面側のどちらか一方、または両側にポケットを設けたことである。【０００９】第５の課題解決の手段は、前記ポケットは、円周方向に沿って幾つかのポケット部を構成するように、ポケット上辺を、前記弾性部材の下辺近傍に設け、前記ポケット下辺は前記カバーの下辺近傍に縫合し、前記ポケット上辺と前記ポケット下辺を長手方向に結ぶ幾つかの線上で、前記カバーと縫合して前記ポケット部を形成することである。
【考案の効果】
【００１０】本考案は上記に述べてあるように、伸縮性を有する略円筒形のカバーに装着部材を設けることで、素足のままでもストッキングの上からでも上肢または下肢のいずれかの適当な位置に違和感や不快感を感じずに装着して着用でき、パンツを履く前に下着感覚で身に着けておくので、携帯し忘れることなく使用したい時には面倒な装着準備なしで、パンツの裾が裾落ち防止カバーに包み込まれ、裾始末が簡単に行えるようになる。【００１１】伸縮性を有する略円筒形の外層カバーと内層カバーと、を接合し一体化したカバーに、略円筒形の装着部材を設けることで上肢または下肢のいずれかの適当な位置に装着して着用でき、パンツを履く前に下着感覚で身に着けておくので、携帯し忘れることなく、使用したい時には面倒な装着準備なしで裾始末が簡単に行え、外層カバーと内層カバーの２層で形成されるため、カバー生地のコシが強くなり、生地の厚みがあるパンツの裾でも、しっかり包み込めるようになる。【００１２】裾落ち防止カバー本体は、装着部材に弾性部材を用いることで、上肢または下肢のいずれかの適当な位置に装着可能になり、脚の太さに応じて装着位置を自由に設定できるようになる。【００１３】裾落ち防止カバー本体は、最内面側または最外面側のどちらか一方、または両側にポケットを設けることで、下部開口部においては、パンツの裾を内側に入れ込んで落ちないように固定し、予期せぬ財布の紛失時用の予備金や、生理時のナプキンを保管したり寒冷時にはミニカイロなどもポケットに入れて使用することで、足元の防寒にも効果が期待できる。【００１４】裾落ち防止カバー本体は、円周方向に沿って幾つかのポケット部を形成することで、個々に必要なものを保管して外見からは気付かれずに装着できるので、シルエットにも影響を与えず使用することができる。
【図面の簡単な説明】
【００１５】
【図１】本考案の第１の実施形態における裾落ち防止カバーの展開図である。
【図２】同裾落ち防止カバーの上部開口部近傍に装着部を設けた展開図である。
【図３】同裾落ち防止カバーの外観図である。
【図４】同裾落ち防止カバーの着用状態を示す状態図である。
【図５】同裾落ち防止カバーの着用時において、裾周りを折畳み下部開口部を上方向に裏返して包み込み、裾上げする使用方法を示す説明図である。
【図６】同裾落ち防止カバーの着用時において、カバーをリストバンド状にしてパンツの上から使用する方法と、裾周りをカバーの裏面側に差し込んで使用する方法を示す説明図である。
【図７】本考案の第２の実施形態における裾落ち防止カバーの外層カバーを示す展開図である。
【図８】同裾落ち防止カバーの内層カバーを示す展開図である。
【図９】同裾落ち防止カバーの外層カバーと内層カバーとを接合して一体化し、装着部を設けた場合の展開図である。
【図１０】同裾落ち防止カバーの外観図である。
【図１１】同裾落ち防止カバーの着用状態を示す状態図である。
【図１２】同裾落ち防止カバーの着用時において、裾周りを下部開口部から内層カバー側に差し込んで、裾上げする使用方法を示す説明図である。
【図１３】同裾落ち防止カバーの着用時において、裾周りを上部開口部から差し込んで足首近傍で止める使用方法を示す説明図である。
【図１４】本考案の第３の実施形態におけるポケット部を設けた裾落ち防止カバーの外層カバーの展開図である。
【図１５】同裾落ち防止カバーのポケット部を設けた内層カバーの展開図である。
【図１６】同裾落ち防止カバーの外層カバーと、ポケット部を設けた内層カバーとを接合して一体化し、装着部を設けた展開図である。
【図１７】同裾落ち防止カバーを裏返して、ポケット部を表した外観図である。
【図１８】同裾落ち防止カバーの着用状態を示す状態図である。
【図１９】同裾落ち防止カバーの着用時において、裾周りを下部開口部からポケット部を設けた内層カバー側に差し込んで、裾上げする使用方法を示す説明図である。
【考案を実施するための形態】
【００１６】本考案を実施の形態に従って説明する。図１は本考案の第１の実施形態における裾落ち防止カバーの１層仕様のカバー１の展開図であり、上辺１ａ及び下辺１ｂは長手方向Ｃ１に伸縮性を有し、肌触りの良い素材から成る。
【００１７】図２に示すように同裾落ち防止カバーはカバー１の上辺１ａに弾性素材を接合して、装着部３を設けた上辺１ａと、下辺１ｂを解れ防止にロックミシンで縁取った下辺１ｂと、端部４ａと４ｂとで構成される。
【００１８】図３に示すように同裾落ち防止カバーのカバー１は、上部開口部２Ａに装着部３を設けて、ロックミシンで縁取った下部開口部２Ｂと、端部４ａと４ｂ（図２参照）とをロックミシンで接合した接合部４と、から成り、略円筒形に形成される。また、カバー１は筒編みで形成することにより、接合部４を設けることなく略円筒形に形成することもできる。
【００１９】図４は同裾落ち防止カバーを両足に着用した正面図であって、上部開口部２Ａから下部開口部２Ｂに向かって足先を入れ、脚の太さにより上肢または下肢の何れかに、カバー１に縫合される装着部３（図２および図３参照）と接合部４と、の着用位置を適宜に設定して両脚に着用する。
【００２０】図５は同裾落ち防止カバーの着用時（図４参照）において、カバー１の上部開口部２Ａから下部開口部２Ｂまでの適当な位置で、裾幅の広いパンツの裾周りを折畳み、下部開口部２Ｂから上方向Ｄ１に裏返しながら広げて、畳んだ裾周りを包み込むようにして裾上げする使用方法であって、外見を気にせず使用できるトイレ時などが最適である。（パンツの裏面側に隠れた裾落ち防止カバーは点線で表記してある。）
【００２１】図６は同裾落ち防止カバーの着用時（図４参照）において、冬期に着用するパンツ素材の生地が肉厚になった時や、自転車やバイクの運転時には、図面の左脚のように、足首近傍でカバー１をリストバンド状に丸め込んでパンツの上から、裾周りを締めるように止める使用方法や、図面の右脚のように、パンツの裾を下部開口部２Ｂからカバー１の裏面側に差し込んで裾上げする方法もあり、トイレ時など外見を気にせず使用する場合には、図５のように裾を捲りあげて使用する方法などがあって、用途に合わせた使用方法が適用される。（パンツの裏面側に隠れた裾落ち防止カバーは点線で表記してある。）
【００２２】図７は本考案の第２の実施形態における裾落ち防止カバーの２層仕様の外層カバー５の展開図であり、上辺５ａ及び下辺５ｂは長手方向Ｃ２に伸縮性を有し、両山レースやオールオーバーレースなどの素材で構成される。
【００２３】図８は同裾落ち防止カバーの２層仕様の内層カバー６の概略図であり、上辺６ａ及び下辺６ｂは長手方向Ｃ３に伸縮性を有し、着用時に肌触りの良い素材で構成される。
【００２４】図９は同裾落ち防止カバーは外層カバー５の上辺５ａと下辺５ｂ（図７参照）と、を内層カバー６の上辺６ａと下辺６ｂ（図８参照）と、に各々、ロックミシンで接合して一体化した２層仕様から成り、接合された外層カバー５と内層カバー６の上辺５ａ、６ｂから下方向の近傍に装着部７を設けて端部９ａと９ｂと、で構成される。
【００２５】図１０は同裾落ち防止カバーの外層カバー５と内層カバー６とをロックミシンで接合して一体化し、上部開口部８Ａと下部開口部８Ｂとを設けて、上部開口部８Ａ近傍に装着部７を設け、端部９ａと９ｂ（図９参照）と、をロックミシンで接合して接合部９を設けて略円筒形に形成される。また、外層カバー５および内層カバー６は、筒編みで形成することにより、接合部９を設けることなく略円筒形に形成することもできる。
【００２６】図１１は同裾落ち防止カバーを両足に着用した時の着用状態を示す状態図であり、着用位置は脚の太さにより上肢または下肢の何れか適当な位置に設定でき、上部開口部８Ａから下部開口部８Ｂに向かって足先を入れ、上部開口部８Ａ近傍に縫合される装着部７と接合部９（図９及び図１０参照）と、の位置設定をして両脚に着用する。
【００２７】図１２は同裾落ち防止カバーの着用時（図１１参照）における、パンツの内側を透視した形状図であって、裾幅の広いパンツの裾周りを、外層カバー５側から下部開口部８Ｂを巻き込むように、裏面の内層カバー６（図１０参照）側に差し込んで裾上げする使用方法があり、上肢または下肢のいずれか適宜な位置に装着部７および接合部９が設置される。また、図５のように、上部開口部８Ａ（２Ａ）から下部開口部８Ｂ（２Ｂ）までの適当な位置で、裾幅の広いパンツの裾周りを折畳み、下部開口部８Ｂから裏返しながら広げて、畳んだ裾周りを包み込むようにして裾上げする使用方法である。（パンツの裏面側に隠れた裾落ち防止カバーは点線で表記してある。）
【００２８】図１３は同裾落ち防止カバーの着用時（図１１参照）において、パンツの素材が肉厚であったり、外見の見栄えを考慮した場合は、図面の右脚のように、裾周りを上部開口部８Ａから下部開口部８Ｂに向かって差し込んで適宜な位置に装着部７および接合部９を設定し、裾周りを覆って使用する方法も適用される。
【００２９】図１４は本考案の第３の実施形態における裾落ち防止カバーにポケットを設けた、外層カバー１０の展開図であり、上辺１０ａ及び下辺１０ｂは長手方向Ｃ４に伸縮性を有し、両山レースやオールオーバーレースなどのストレッチレース素材やニット素材などで構成される。
【００３０】図１５は同裾落ち防止カバーの内層カバー１１に共生地でポケット部１２ａ、１２ｂ、１２ｃを設けた展開図であり、上辺１１ａ及び下辺１１ｂは長手方向Ｃ５に伸縮性を有し、着用時に肌触りの良いニット素材などで構成される。また、ポケットの形状や数は、各々、適宜に応じて形成され、ポケットの設置位置は表面または、裏面または、両面にも、設定することができる。
【００３１】図１６は同裾落ち防止カバーの外層カバー１０の上辺１０ａと下辺１０ｂ（図１４参照）とを内層カバー１１の上辺１１ａと下辺１１ｂ（図１５参照）と、に各々、ロックミシンで接合して一体化した２層仕様から成り、接合された外層カバー１０と内層カバー１１の上辺１０ａ、１１ａより下方向の近傍に装着部１５を設け、端部１４ａと１４ｂと、ポケット部１２ａ，１２ｂ，１２ｃと、で構成される。
【００３２】図１７は同裾落ち防止カバーを裏返して、ポケット部を表した外観図であって、ポケット部１２ａ，１２ｂ，１２ｃ設けた内層カバー１１と外層カバー１０とをロックミシンで接合して一体化し、上部開口部１３Ａ近傍に装着部１５を設け、端部１４ａと１４ｂ（図１６参照）とをロックミシンで接合して接合部１４を設け、上部開口部１３Ａと下部開口部１３Ｂとを設けて、略円筒形に形成される。また、外層カバー１０および内層カバー１１は筒編みで形成することにより、接合部１４を設けることなく略円筒形に形成することもできる。
【００３３】図１８は同裾落ち防止カバーのポケット部１２ａ、１２ｂ、１２ｃを設けた内層カバー１１（図１５および図１７参照）が裏面にくるようにして、両脚に着用した時の正面図であって、上部開口部１３Ａから下部開口部１３Ｂに向かって足先を入れ、脚の太さにより上肢または下肢の何れかに、装着部１５と接合部１４と、の着用位置を適宜に設定して両脚に着用する。（裾落ち防止カバーの裏面の内層カバー１１に設けたポケット部は点線で表記してある。）
【００３４】図１９は同裾落ち防止カバーの内層カバー１１に付けたポケット部１２ａ，１２ｂ，１２ｃが裏面側になるようにして、装着部１５を適宜な位置に設置し、裾幅の広いパンツの裾周りを、外層カバー１０側から下部開口部１３Ｂを巻き込むようにポケットを付けた内層カバー１１（図１５および図１７参照）差し込んで、裾上げする使用方法であって、（この図はパンツの内側と裾落ち防止カバーの裏面側を透視したもので、裾落ち防止カバーとポケット部は点線で表記してある。）ポケットに入れたものが落ちにくい方法ではあるが、ポケットに何も入っていない場合は、図５と同様の使用方法でも活用できる。
【符号の説明】
【００３５】１                            カバー
１ａ                          上辺
１ｂ                          下辺
２Ａ                          上部開口部
２Ｂ                          下部開口部
３                            装着部
４                            接合部
４ａ，４ｂ                    端部
５                            外層カバー
５ａ                          上辺
５ｂ                          下辺
６                            内層カバー
６ａ                          上辺
６ｂ                          下辺
７                            装着部
８Ａ                          上部開口部
８Ｂ                          下部開口部
９                            接合部
９ａ，９ｂ                    端部
１０                          外層カバー
１０ａ                        上辺
１０ｂ                        下辺
１１                          内層カバー
１１ａ                        上辺
１１ｂ                        下辺
１２ａ，１２ｂ，１２ｃ        ポケット部
１３Ａ                        上部開口部
１３Ｂ                        下部開口部
１４                          接合部
１４ａ，１４ｂ                端部
１５                          装着部
Ｃ１，Ｃ２、Ｃ３，Ｃ４，Ｃ５  長手方向
Ｄ１                          上方向
【図１】
0003227812.tif 000003
【図２】
0003227812.tif 000004
【図３】
0003227812.tif 000005
【図４】
0003227812.tif 000006
【図５】
0003227812.tif 000007
【図６】
0003227812.tif 000008
【図７】
0003227812.tif 000009
【図８】
0003227812.tif 000010
【図９】
0003227812.tif 000011
【図１０】
0003227812.tif 000012
【図１１】
0003227812.tif 000013
【図１２】
0003227812.tif 000014
【図１３】
0003227812.tif 000015
【図１４】
0003227812.tif 000016
【図１５】
0003227812.tif 000017
【図１６】
0003227812.tif 000018
【図１７】
0003227812.tif 000019
【図１８】
0003227812.tif 000020
【図１９】
0003227812.tif 000021
【手続補正書】
【提出日】令和2年5月26日(2020.5.26)
【手続補正１】
【補正対象書類名】実用新案登録請求の範囲
【補正対象項目名】全文
【補正方法】変更
【補正の内容】
【実用新案登録請求の範囲】
【請求項１】
伸縮性を有する略円筒形のカバーと、前記カバーの上部開口  部と下部開口部との間に略円筒形の装着部材と、を設けて１層から成ることを特徴とする裾落ち防止カバー。
【請求項２】
伸縮性を有する略円筒形の外層カバーと、前記外層カバーの内側に設けた伸縮性を有する略円筒形の内層カバーと、を接合し一体化した裾落ち防止カバーの上部開口部と下部開口部との間に略円筒形の装着部材を設けて２層で構成されることを特徴とする裾落ち防止カバー。
【請求項３】
前記装着部材として弾性部材を用いたことを特徴とする請求項１または請求項２に記載の裾落ち防止カバー。
【請求項４】
前記裾落ち防止カバーの表面側または裏面側のどちらか一方、または両側にポケットを設けたことを特徴とする請求項１〜３のいずれか１項に記載の裾落ち防止カバー。
【請求項５】
前記ポケットは、円周方向に沿って幾つかのポケット部を構成するように、ポケット上辺を、前記装着部材の下辺近傍に設け、前記ポケット下辺は前記裾落ち防止カバーの下辺近傍に縫合し、前記ポケット上辺と前記ポケット下辺を長手方向に結ぶ幾つかの線上で、前記裾落ち防止カバーと縫合して前記ポケット部を形成することを特徴とする請求項４に記載の裾落ち防止カバー。
【手続補正２】
【補正対象書類名】明細書
【補正対象項目名】全文
【補正方法】変更
【補正の内容】
【考案の詳細な説明】
【技術分野】
【０００１】  本考案は装着したパンツの裾が下に落ちないように、長手方向に伸縮性を有し、装着部を設けて上肢または下肢のいずれかの適当な位置を覆うように形成される、裾落ち防止カバーである。
【背景技術】
【０００２】  最近の女性ファッションの傾向として、裾幅の広いパンツが流行しており、トイレ時に裾が床に着いたり、雪や雨で裾が濡れて汚れたり、自転車、バイクの運転時には、車輪への裾の巻き込みなどが生じる懸念があり、市販されている裾上げバンドも幾つかはあるが、ズボンの上から使用するものが主流で、長さ調節可能なアジャスター付で伸縮性のあるゴムまたは紐を使用したもの（例えば特許文献１参照）や、伸縮性のバンドを収納可能な化粧品のポーチとしても利用でき、携帯し忘れないように考慮されたもの（例えば特許文献３参照）などがあった。
【先行技術文献】
【特許文献】
【０００３】
【特許文献１】実用新案登録第３２０５９５３号公報
【特許文献２】実用新案登録第３２１４４５４号公報
【考案の概要】
【考案が解決しようとする課題】
【０００４】  上記のパンツの裾を上げるように考えられた考案に関しては、裾をバンドなどで固定してアジャスターで長さ調節可能にしたもの（特許文献１）でも、携帯して持ち運びしなければならず、また、携帯し忘れないように化粧ポーチとして利用するものなどは、忘れにくくなっても、いざ、使用する時には、中に入れた化粧品などを出してからでないと使用できないという難点がある。そのほか、市販されている裾アップバンドでは、面ファスナーで固定するものや、リボンのモチーフにゴムバンドを引っ掛けて使用するものなどはあるが、いずれも、携帯し忘れると用をなさないリスクが生じる。また、事前にパンツ下の脚に装着することはできても、連結部にプラスチック製や金具のアジャスターや面ファスナーなどを使用しているため（特許文献２）、脚への違和感や不快感を生じることが懸念される。そこで本考案は上記の課題を解決することを目的とするものである。
【課題を解決するための手段】
【０００５】  そして、本考案は上記目的を達成するために、第１の課  題解決の手段は、伸縮性を有する略円筒形のカバーと、カバーの上部開口部と下部開口部との間に略円筒形の装着部材と、を設けて１層から成ることである。【０００６】  第２の課題解決の手段は、伸縮性を有する略円筒形の外層カバーと、外層カバーの内側に設けた伸縮性を有する略円筒形の内層カバーと、を接合し一体化した裾落ち防止カバーの上部開口部と下部開口部との間に略円筒形の装着部材を設けて２層で構成されることである。【０００７】  第３の課題解決の手段は、装着部材として弾性部材を  用いたことである。【０００８】  第４の課題解決の手段は、裾落ち防止カバーの表面側または裏面側のどちらか一方、または両側にポケットを設けたことである。【０００９】  第５の課題解決の手段は、ポケットは、円周方向に沿って幾つかのポケット部を構成するように、ポケット上辺を、装着部材の下辺近傍に設け、ポケット下辺は裾落ち防止カバーの下辺近傍に縫合し、ポケット上辺とポケット下辺を長手方向に結ぶ幾つかの線上で、裾落ち防止カバーと縫合してポケット部を形成することである。
【考案の効果】
【００１０】  本考案は上記に述べてあるように、伸縮性を有する略円筒形のカバーに略円筒形の装着部材を設けることで、素足のままでもストッキングの上からでも上肢または下肢のいずれかの適当な位置に違和感や不快感を感じずに装着して着用でき、パンツを履く前に下着感覚で身に着けておくので、携帯し忘れることなく使用したい時には面倒な装着準備なしで、パンツの裾が裾落ち防止カバーに包み込まれ、裾始末が簡単に行えるようになる。【００１１】  伸縮性を有する略円筒形の外層カバーと内層カバーと、を接合し一体化した裾落ち防止カバーに、略円筒形の装着部材を設けることで上肢または下肢のいずれかの適当な位置に装着して着用でき、パンツを履く前に下着感覚で身に着けておくので、携帯し忘れることなく、使用したい時には面倒な装着準備なしで裾始末が簡単に行え、外層カバーと内層カバーの２層で形成されるため、カバー生地のコシが強くなり、生地の厚みがあるパンツの裾でも、しっかり包み込めるようになる。【００１２】  裾落ち防止カバー本体は、装着部材に弾性部材を用いることで、上肢または下肢のいずれかの適当な位置に装着可能になり、脚の太さに応じて装着位置を自由に設定できるようになる。【００１３】  裾落ち防止カバー本体は、表面側または裏面側のどちらか一方、または両側にポケットを設けることで、下部開口部においては、パンツの裾を内側に入れ込んで落ちないように固定し、予期せぬ財布の紛失時用の予備金や、生理時のナプキンを保管したり寒冷時にはミニカイロなどもポケットに入れて使用することで、足元の防寒にも効果が期待できる。【００１４】  裾落ち防止カバー本体は、円周方向に沿って幾つかのポケット部を形成することで、個々に必要なものを保管して外見からは気付かれずに装着できるので、シルエットにも影響を与えず使用することができる。
【図面の簡単な説明】
【００１５】
【図１】  本考案の第１の実施形態における裾落ち防止カバーの展開図である。
【図２】  同裾落ち防止カバーの上部開口部近傍に装着部を設けた展開図である。
【図３】  同裾落ち防止カバーの外観図である。
【図４】  同裾落ち防止カバーの着用状態を示す状態図である。
【図５】  同裾落ち防止カバーの着用時において、裾周りを裾上げする使用方法を示す説明図である。
【図６】  同裾落ち防止カバーの着用時において、カバーをリストバンド状にしてパンツの上から使用する方法と、裾周りをカバーの裏面側に差し込んで使用する方法を示す説明図である。
【図７】  本考案の第２の実施形態における裾落ち防止カバーの外層カバーを示す展開図である。
【図８】  同裾落ち防止カバーの内層カバーを示す展開図である。
【図９】  同裾落ち防止カバーの外層カバーと内層カバーとを接合して一体化し、装着部を設けた場合の展開図である。
【図１０】  同裾落ち防止カバーの外観図である。
【図１１】  同裾落ち防止カバーの着用状態を示す状態図である。
【図１２】  同裾落ち防止カバーの着用時において、裾周りを下部開口部から内層カバー側に差し込んで、裾上げする使用方法を示す説明図である。
【図１３】  同裾落ち防止カバーの着用時において、裾周りを上部開口部から差し込んで足首近傍で止める使用方法を示す説明図である。
【図１４】  本考案の第３の実施形態におけるポケット部を設けた裾落ち防止カバーの外層カバーの展開図である。
【図１５】  同裾落ち防止カバーのポケット部を設けた内層カバーの展開図である。
【図１６】  同裾落ち防止カバーの外層カバーと、ポケット部を設けた内層カバーとを接合して一体化し、装着部を設けた展開図である。
【図１７】  同裾落ち防止カバーを裏返して、ポケット部を表した外観図である。
【図１８】  同裾落ち防止カバーの着用状態を示す状態図である。
【図１９】  同裾落ち防止カバーの着用時において、裾周りを下部開口部からポケット部を設けた内層カバー側に差し込んで、裾上げする使用方法を示す説明図である。
【考案を実施するための形態】
【００１６】  本考案を実施の形態に従って説明する。図１は本考案の第１の実施形態における裾落ち防止カバーの１層仕様のカバー１の展開図であり、上辺１ａ及び下辺１ｂは長手方向Ｃ１に伸縮性を有し、肌触りの良い素材から成る。
【００１７】  図２に示すように同裾落ち防止カバーはカバー１の上辺１ａに弾性素材を接合して、装着部３を設けた上辺１ａと、下辺１ｂを解れ防止にロックミシンで縁取った下辺１ｂと、端部４ａと４ｂとで構成される。
【００１８】  図３に示すように同裾落ち防止カバーのカバー１は、上部開口部２Ａに装着部３を設けて、ロックミシンで縁取った下部開口部２Ｂと、端部４ａと４ｂ（図２参照）とをロックミシンで接合した接合部４と、から成り、略円筒形に形成される。また、カバー１は筒編みで形成することにより、接合部４を設けることなく略円筒形に形成することもできる。
【００１９】  図４は同裾落ち防止カバーを両足に着用した正面図であって、上部開口部２Ａから下部開口部２Ｂに向かって足先を入れ、脚の太さにより上肢または下肢の何れかに、カバー１に縫合される装着部３（図２および図３参照）と接合部４と、の着用位置を適宜に設定して両脚に着用する。
【００２０】  図５は同裾落ち防止カバーの着用時（図４参照）において、カバー１の上部開口部２Ａから下部開口部２Ｂまでの適当な位置で、裾幅の広いパンツの裾周りを折畳み、下部開口部２Ｂから上方向Ｄ１に裏返しながら広げて、畳んだ裾周りを包み込むようにして裾上げする使用方法であって、外見を気にせず使用できるトイレ時などが最適である。（パンツの裏面側に隠れた裾落ち防止カバーは点線で表記してある。）
【００２１】  図６は同裾落ち防止カバーの着用時（図４参照）において、冬期に着用するパンツ素材の生地が肉厚になった時や、自転車やバイクの運転時には、図面の左脚のように、足首近傍でカバー１をリストバンド状に丸め込んでパンツの上から、裾周りを締めるように止める使用方法や、図面の右脚のように、パンツの裾を下部開口部２Ｂからカバー１の裏面側に差し込んで裾上げする方法もあり、トイレ時など外見を気にせず使用する場合には、図５のように裾を捲りあげて使用する方法などがあって、用途に合わせた使用方法が適用される。（パンツの裏面側に隠れた裾落ち防止カバーは点線で表記してある。）
【００２２】  図７は本考案の第２の実施形態における裾落ち防止カバーの２層仕様の外層カバー５の展開図であり、上辺５ａ及び下辺５ｂは長手方向Ｃ２に伸縮性を有し、両山レースやオールオーバーレースなどの素材で構成される。
【００２３】  図８は同裾落ち防止カバーの２層仕様の内層カバー６の概略図であり、上辺６ａ及び下辺６ｂは長手方向Ｃ３に伸縮性を有し、着用時に肌触りの良い素材で構成される。
【００２４】  図９は同裾落ち防止カバーは外層カバー５の上辺５ａと下辺５ｂ（図７参照）と、を内層カバー６の上辺６ａと下辺６ｂ（図８参照）と、に各々、ロックミシンで接合して一体化した２層仕様から成り、接合された外層カバー５と内層カバー６の上辺５ａ、６ｂから下方向の近傍に装着部７を設けて端部９ａと９ｂと、で構成される。
【００２５】  図１０は同裾落ち防止カバーの外層カバー５と内層カバー６とをロックミシンで接合して一体化し、上部開口部８Ａと下部開口部８Ｂとを設けて、上部開口部８Ａ近傍に装着部７を設け、端部９ａと９ｂ（図９参照）と、をロックミシンで接合して接合部９を設けて略円筒形に形成される。また、外層カバー５および内層カバー６は、筒編みで形成することにより、接合部９を設けることなく略円筒形に形成することもできる。
【００２６】  図１１は同裾落ち防止カバーを両足に着用した時の着用状態を示す状態図であり、着用位置は脚の太さにより上肢または下肢の何れか適当な位置に設定でき、上部開口部８Ａから下部開口部８Ｂに向かって足先を入れ、上部開口部８Ａ近傍に縫合される装着部７と接合部９（図９及び図１０参照）と、の位置設定をして両脚に着用する。
【００２７】  図１２は同裾落ち防止カバーの着用時（図１１参照）における、パンツの内側を透視した形状図であって、裾幅の広いパンツの裾周りを、外層カバー５側から下部開口部８Ｂを巻き込むように、裏面の内層カバー６（図１０参照）側に差し込んで裾上げする使用方法があり、上肢または下肢のいずれか適宜な位置に装着部７および接合部９が設置される。また、図５のように、上部開口部８Ａ（２Ａ）から下部開口部８Ｂ（２Ｂ）までの適当な位置で、裾幅の広いパンツの裾周りを折畳み、下部開口部８Ｂから裏返しながら広げて、畳んだ裾周りを包み込むようにして裾上げする使用方法である。（パンツの裏面側に隠れた裾落ち防止カバーは点線で表記してある。）
【００２８】  図１３は同裾落ち防止カバーの着用時（図１１参照）において、パンツの素材が肉厚であったり、外見の見栄えを考慮した場合は、図面の右脚のように、裾周りを上部開口部８Ａから下部開口部８Ｂに向かって差し込んで適宜な位置に装着部７および接合部９を設定し、裾周りを覆って使用する方法も適用される。
【００２９】  図１４は本考案の第３の実施形態における裾落ち防止カバーにポケットを設けた、外層カバー１０の展開図であり、上辺１０ａ及び下辺１０ｂは長手方向Ｃ４に伸縮性を有し、両山レースやオールオーバーレースなどのストレッチレース素材やニット素材などで構成される。
【００３０】  図１５は同裾落ち防止カバーの内層カバー１１に共生地でポケット部１２ａ、１２ｂ、１２ｃを設けた展開図であり、上辺１１ａ及び下辺１１ｂは長手方向Ｃ５に伸縮性を有し、着用時に肌触りの良いニット素材などで構成される。また、ポケットの形状や数は、各々、適宜に応じて形成され、ポケットの設置位置は表面または、裏面または、両面にも、設定することができる。
【００３１】  図１６は同裾落ち防止カバーの外層カバー１０の上辺１０ａと下辺１０ｂ（図１４参照）とを内層カバー１１の上辺１１ａと下辺１１ｂ（図１５参照）と、に各々、ロックミシンで接合して一体化した２層仕様から成り、接合された外層カバー１０と内層カバー１１の上辺１０ａ、１１ａより下方向の近傍に装着部１５を設け、端部１４ａと１４ｂと、ポケット部１２ａ、１２ｂ、１２ｃと、で構成される。
【００３２】  図１７は同裾落ち防止カバーを裏返して、ポケット部を表した外観図であって、ポケット部１２ａ、１２ｂ、１２ｃ設けた内層カバー１１と外層カバー１０と、をロックミシンで接合して一体化し、上部開口部１３Ａ近傍に装着部１５を設け、端部１４ａと１４ｂ（図１６参照）とをロックミシンで接合して接合部１４を設け、上部開口部１３Ａと下部開口部１３Ｂとを設けて、略円筒形に形成される。また、外層カバー１０および内層カバー１１は筒編みで形成することにより、接合部１４を設けることなく略円筒形に形成することもできる。
【００３３】  図１８は同裾落ち防止カバーのポケット部１２ａ、１２ｂ、１２ｃを設けた内層カバー１１（図１５および図１７参照）が裏面にくるようにして、両脚に着用した時の正面図であって、上部開口部１３Ａから下部開口部１３Ｂに向かって足先を入れ、脚の太さにより上肢または下肢の何れかに、装着部１５と接合部１４と、の着用位置を適宜に設定して両脚に着用する。（裾落ち防止カバーの裏面の内層カバー１１に設けたポケット部は点線で表記してある。）
【００３４】  図１９は同裾落ち防止カバーの内層カバー１１に付けたポケット部１２ａ、１２ｂ、１２ｃが裏面側になるようにして、装着部１５を適宜な位置に設置し、裾幅の広いパンツの裾周りを、外層カバー１０側から下部開口部１３Ｂを巻き込むようにポケットを付けた内層カバー１１（図１５および図１７参照）差し込んで、裾上げする使用方法であって、（この図はパンツの内側と裾落ち防止カバーの裏面側を透視したもので、裾落ち防止カバーとポケット部は点線で表記してある。）ポケットに入れたものが落ちにくい方法ではあるが、ポケットに何も入っていない場合は、図５と同様の使用方法でも活用できる。
【符号の説明】
【００３５】１                            カバー
１ａ                          上辺
１ｂ                          下辺
２Ａ                          上部開口部
２Ｂ                          下部開口部
３                            装着部
４                            接合部
４ａ、４ｂ                    端部
５                            外層カバー
５ａ                          上辺
５ｂ                          下辺
６                            内層カバー
６ａ                          上辺
６ｂ                          下辺
７                            装着部
８Ａ                          上部開口部
８Ｂ                          下部開口部
９                            接合部
９ａ、９ｂ                    端部
１０                          外層カバー
１０ａ                        上辺
１０ｂ                        下辺
１１                          内層カバー
１１ａ                        上辺
１１ｂ                        下辺
１２ａ、１２ｂ、１２ｃ        ポケット部
１３Ａ                        上部開口部
１３Ｂ                        下部開口部
１４                          接合部
１４ａ、１４ｂ                端部
１５                          装着部
Ｃ１、Ｃ２、Ｃ３、Ｃ４、Ｃ５  長手方向
Ｄ１                          上方向